(57)【特許請求の範囲】
【請求項１】
−支持構造体、
−支持構造体に固定され、エヤーギャップ（13, 23, 41, 47, 49）を規定する磁気構造（12）、および
−支持構造体に接続され、シート材料で作られた振動板、を備えるラウドスピーカーであって、
−前記振動板は円筒形ジャケットの形状を有し、セグメント（10 , 10' , 10'' , 10''' , 10'''' ）からなり、
−前記セグメント（10 , 10' , 10'' , 10''' , 10'''' ）は母線の方向に走る区画ラインに沿って互いに接続され、前記セグメントは円筒形ジャケット形状の全体的な半径に関連する曲率よりも大きい曲率の表面を有し、
−２つの区画ラインに少なくとも沿ったフラップ（11, 11' , 11'' , 11''' , 11'''' ）が存在し、そのフラップ（11, 11' , 11'' , 11''' , 11'''' ）はエヤーギャップ（13, 23, 41, 47, 49）の中へそれぞれ半径方向に延び、そして、
−前記振動板は、フラップ（11, 11' , 11'' , 11''' , 11'''' ）に結合する可撓性支持部材（24）によって支持構造体に接続されて、エヤーギャップ（13, 23, 41, 47, 49）の中におけるフラップ（11, 11' , 11'' , 11''' , 11'''' ）の半径方向の動きを可能にし、
フラップ（11, 11' , 11'' , 11''' , 11'''' ）の端を支持構造体に接続する可撓性支持部材（24）が、母線の方向に走る可撓性ストランドであり、
ラウドスピーカーは、ケーブル構造を備え、そのケーブル構造は、フラップ（11, 11' , 11'' , 11''' , 11'''' ）に沿って振動板に付設されるケーブルストランドを備えるラウドスピーカー。
【請求項２】
エヤーギャップ（13, 23, 41, 47, 49）を介して進み、各エヤーギャップ（13, 23, 41, 47, 49）において同じ電流方向を保証するケーブルストランドを備えることを特徴とする請求項１記載のラウドスピーカー。
【請求項３】
ケーブル構造は１エヤーギャップ当たり、又は一対のエヤーギャップ当たり一対の接続ケーブル部を備えることを特徴とする請求項２記載のラウドスピーカー。
【請求項４】
ケーブル構造が共通の一対の接続ケーブル部を備えることを特徴とする請求項２記載のラウドスピーカー。
【請求項５】
可撓性ストランドが、都合よく可撓性被覆を有するケーブルストランドであることを特徴とする請求項１〜４のいずれか１つに記載のラウドスピーカー。
【請求項６】
振動板のセグメント（10 , 10' , 10'' , 10''' , 10'''' ）が可撓性のプリント配線板で作られていることを特徴とする請求項１〜５のいずれか１つに記載のラウドスピーカー。
【請求項７】
振動板のすべてのセグメント（10 , 10' , 10'' , 10''' , 10'''' ）が単一のシート材料片から作られていることを特徴とする請求項１〜６のいずれか１つに記載のラウドスピーカー。
【請求項８】
振動板のセグメント（10, 10' ）のエッジが弾性フランジ（34, 38）を介して支持構造体に接続されていることを特徴とする請求項１〜７のいずれか１つに記載のラウドスピーカー。
【請求項９】
振動板のセグメント（10, 10' ）により囲まれた内部空間と、支持構造体と、弾性フランジ（34, 38）とを備えることを特徴とする請求項８記載のラウドスピーカー。
【発明の詳細な説明】
【技術分野】
【０００１】
この発明はラウドスピーカーに関する。この発明の主題は、特に、全方向の音響再生に適した広帯域ラウドスピーカーである。
【背景技術】
【０００２】
異なる構造の多くのラウドスピーカーが、先行技術により知られている。例えば、いわゆるストリップ振動板を有するラウドスピーカーは、他の公知のタイプと比較してひずみが小さく負荷容量が大きいので、広く使用されている。
【０００３】
ストリップ振動板を有するラウドスピーカーは、例えば、文献WO 2000/041492に記載されている。その文献による解決策において、振動板はストリップのような形状を有し、いくつかのセグメントに分割されている。その振動板は、個々のセグメントが互いに交わるように動く。２つの端の位置においてセグメントはラウドスピーカーの支持構造体に、それらの長手方向に沿って固定されている。この公知のラウドスピーカーは、全方向の音響再生には適さず、固定されたセグメントは、端の位置で振動板の動きを制限する。
【０００４】
音を空間のいくつかの方向に又は水平に全方向に放出する他のラウドスピーカーが知られている。
【０００５】
全方向ラウドスピーカーは米国特許第3,590,942号、同6,009,972号および英国特許第1451169号に記載されている。これらのラウドスピーカーは、柱、円柱又は球のような空間的な形態の表面に設置される異なる方向に放射する音響放射体によって構成される。これらのラウドスピーカーの共通の欠点は、いくつかの個々の音響放射体がそれらを組立てるのに必要であることである。或る周波数以上では、個々の音響放射体は可干渉的に作動せず、放射特性を著しく悪化させる。
【０００６】
さらに、全方向ラウドスピーカーは、米国特許第5,115,882号、同5,451,726号、同5,673,329号、同第6,064,744号および同第6,431,308B1号に記載されている。これらの公知のラウドスピーカーは、拡散器の援助により全方向特性を作り出す。これらの解決策の共通の欠点は、その拡散器が周波数依存要素であることである。これによって、或る音波は拡散器に吸収され、それらのいくつかはその位相が変化する。結果的に、適当な位相応答のリニア周波数応答を作り出すことは、ほとんど不可能である。
【０００７】
米国特許第5,014,321号と同第6,785,397B2号において、ボール形状の振動板を有する音響放射体が記載され、その放射体の上下部分において、従来のラウドスピーカーの振動板を動かし、作動中に振動板を変形させる構成要素が設けられている。
【０００８】
米国特許第6,411,914B1号によると、いわゆるPVDFフォイル（foil）の援助により、筒形の振動板が作られる。PVDFフォイルは、多層の電子放射体であり、その使用時の欠点は、それが電圧の供給を必要とすることである。
【０００９】
米国特許第6,587,571号によれば、変形可能なチューブが振動板として用いられ、そのチューブは磁気回路とコイルの援助により、圧縮され、引張される。円筒状およびチューブ状の解決策の共通の欠点は、振動板のサイズをきわめてわずかに変更することにより、その文献によるラウドスピーカーは高い音響周波数のみで作動するということである。
【００１０】
欧州特許第0 201 101 A2号は、ストリップ形状の振動板を有するラウドスピーカーを記載している。
【００１１】
ストリップ振動板付のラウドスピーカーはまた、米国特許公開公報第2010/0284560A1号に記載されている。中国特許第201234341Y号に記載されたラウドスピーカーも、ストリップ振動板を有する。中国特許第201260241Y号に記載されたラウドスピーカーは円筒状振動板を有する。低音を放射するのに適したラウドスピーカーは、ドイツ国特許第10 2007016 582 B3号に記載されている。円筒状振動板付のラウドスピーカーは英国特許第2 370 939 A号および日本国特許公開公報第2007-020024号に記載されている。
【００１２】
公知の解決策のいくつかの共通の欠点は、音響周波数の駆動装置（drive）によって制御される振動板の動きが、振動板に接続される要素により制限されるということである。公知の解決策の他の部分の共通の欠点は、それらの放射特性が、制御された不完全な全方向の音響を保証するということである。さらに、公知の解決策の大多数は、比較的制限された周波数範囲においてのみ、一様な効率の音波を生成できるという欠点を有する。
【００１３】
公知の解決策を考慮して、良好な近似によって音波を全方向に放射するのに適した、また、できる限り広い音響周波数範囲で音を放射するのに適したラウドスピーカーの開発要求が生じてきた。さらに、その振動板が、公知の解決策の場合よりも運動の自由において制限されない、つまり、駆動装置によりより完全に動くことができるラウドスピーカーの開発が要求されている。
【００１４】
この発明の主目的は、先行技術による解決策の欠点をできるだけ免れるラウドスピーカーを作ることである。この発明の目的は、ほぼ全方向の音響放射を行うことが可能なラウドスピーカーを作ることである。さらに、この発明の目的はできるだけ広い音響周波数において均一な効率の音波を出射できるラウドスピーカーを作ることである。さらに、この発明の目的は、ラウドスピーカーの支持構造体にラウドスピーカーの振動板を、その自由な運動が可能な最小範囲に制限されるように取付けることである。同時に、この発明の目的はまた、振動板を適当な位置に保持して、ドライブによる振動板の動きをできるだけ妨げないようにする可撓性支持部材を作ることである。
【００１５】
この発明に関して、設定された目的は請求項１によるラウドスピーカーにより達成された。
【図面の簡単な説明】
【００１６】
この発明の好ましい実施形態は、例として図に基づいて説明される。
【図１】図１は、この発明によるラウドスピーカーの第１実施形態の一部の立体画像である。
【図２】図２は、図１に示すラウドスピーカーの内部の上面図である。
【図３】図３は、図１に示すラウドスピーカーの支持構造体の要素を上面図で示す。
【図４】図４は、閉鎖板を搭載した、図１に示すラウドスピーカーを示す。
【図５】図５は、この発明によるラウドスピーカーの他の実施形態の一部の立体画像である。
【図６】図６は、図５に示すラウドスピーカーの立体的上面図である。
【図７】図７は、図５に示すラウドスピーカーの側面図である。
【図８】図８は、この発明によるラウドスピーカーの第３実施形態の立体画像である。
【図９】図９は、図８に示すラウドスピーカーの上面図である。
【図１０】図１０は、この発明によるラウドスピーカーの第４実施形態の立体画像である。
【図１１】図１１は、図１０に示すラウドスピーカーの上面図である。
【図１２】図１２は、この発明によるラウドスピーカーの第５実施形態の立体画像である。
【図１３】図１３は、図１２に示すラウドスピーカーの上面図である。
【００１７】
この発明によるラウドスピーカーのすべての実施形態は、支持構造体と、支持構造体に固定されエヤーギャップを画定する磁気構造（magnetic arrangement）と、支持構造体に接続された振動板シート材料とを備える。この発明によるラウドスピーカーの場合には、シート材料は、振動板が広げられたときに、平坦な材料から作られ、都合よく折り重ねて接着されることを意味する。
【００１８】
この発明によるラウドスピーカーにおいて、振動板はセグメントからなる円筒形ジャケット状の形状を有する。振動板は、１枚以上のシート材料片からなる。振動板のすべてのセグメントは、単一のシート材料片から作られると好都合である。個々のセグメントは、それらが一緒に円筒形ジャケット状の形を作るように、互いに接続される。
【００１９】
この発明の観点から、円筒形ジャケットの形状は、その表面がトレースライン（traceline）の平面に直角にトレースラインに沿って位置する母線によって決定されることを意味する。結果的に、円筒形ジャケットの形状は、母線の方向に沿った恒久的な断面を有する。セグメントは、母線の方向に沿った区画ラインに沿って互いを接合し、円筒形ジャケット形状の総体半径に対応する曲率よりも大きい曲率の表面を有する。個々のセグメントは凸面体でも凹面体でもよい。
【００２０】
２つの区画ラインに少なくとも沿ってフラップ（flaps）が存在し、これらのフラップはそれぞれ半径方向にエヤーギャップ内に延びる。フラップとエヤーギャップは、いくつかの異なる方法で互いに構成されるか、配置されることが可能である。例えば、フラップは、セグメントの結合ラインに沿ってシート材料上に形成された鋭角の折り目によって形成されることが可能である。つまり、フラップは互いに接着された隣接セグメントの表面で折りたたまれることが可能である。
【００２１】
振動板がラウドスピーカーの内部空間から見て凸面状に湾曲したセグメントを有する場合には、磁気構造によって区画されるエヤーギャップは、振動板によって区画される振動板の内部空間に位置する。しかしながら、セグメントがラウドスピーカーの内部空間から見て凹面構造を有する場合、つまり個々のセグメントが内部に向かって湾曲している場合には、磁気構造は、通常、振動板によって形成される内部空間を越えて構成されるべきである。
【００２２】
さらに、この発明によれば、振動板は、フラップを結合してエヤーギャップ内でのフラップの半径方向の動きを可能にする可撓性支持部材によって支持構造体に接続される。好ましくは可撓性支持部材は、母線方向に走って支持構造体にフラップの端を接続する可撓性ストランドであり、休止状態ではフラップをゆるい懸垂姿勢に保持する。
【００２３】
この発明によるラウドスピーカーは、またケーブル構造を備え、そのケーブル構造は、フラップに沿って振動板に取り付けられてエヤーギャップを介して進み、各エヤーギャップにおいて同一の電流方向を保証するケーブルストランドを備える。そのケーブル構造は、そのケーブル構造を介して流れる電流の強度と、磁気構造によって生成される磁気誘導に依存して振動板に力を加えるようになっている。知られていることであるが、磁気構造によって生成される永久磁界は、使用される電流強度によって導体に力を加える。このようにして加えられた力によって振動板は、ラウドスピーカーの機能に適した音響周波数の動きに委ねられる。
【００２４】
この発明によるラウドスピーカーにおいて、振動板は、先行技術によるラウドスピーカーと比べて、より自由な構造を有する。この理由により、この発明によるラウドスピーカーは、先行技術による解決策の場合よりも広い周波数範囲において均一な性能を発揮することができる。
【００２５】
上記に基づいて、この発明によるラウドスピーカーは、磁気学の原理に基づいて作動するダイナミック音響放射体であり、セグメントからなるその振動板により、小さい収納体積の中に大きい音響放射表面を保証し、軸を中心に360度のフィールドに放射する。結果的に、この発明は全方向（360度）音響放射体である。この放射の特性の利点は、単極の音響ディストリビュータよりもリアルなステレオ音響イメージを与えることである。この発明による解決策のさらなる利点は、そのステレオ音響イメージは、音響放射体が例えば実際の壁のような表面に近づいても、著しく悪くならないことである。
【００２６】
この発明によるラウドスピーカーの磁気構造の援助により、エヤーギャップにおける磁束の方向と導体における電流の方向は、電流が導体を介して流れる時に振動板のすべてのフラップが半径方向に同じ方向に動くように決定される。
【００２７】
図１は、この発明によるラウドスピーカーの好ましい第１実施形態である。この発明のこの実施形態によるラウドスピーカーは、シート材料で作られた８つのフラップ１１を有する振動板（diaphragm）を備え、フラップ１１のセグメント（segments）１０は、図に示される配列によって互いを結合している。この実施形態の場合には、ラウドスピーカーの支持構造体（bearing structure）は、支持構造体要素１４と、一端（図１の上端）に沿って振動板に接する平板１８と、他端（図１の下端）に沿って振動板に接する平板２０を備える。平板２０は図４に示される。振動板は後述するように支持構造に接続される。
【００２８】
図１による実施形態は、この目的のために作られた支持構造体要素１４の凹部１７に固定され、８つのエヤーギャップ１３を規定する磁気構造１２を備える。振動板はセグメント１０を有し、円筒形ジャケットのような形状を有する。個々のセグメント１０は、母線の方向に沿った区画線に沿って互いを結合している。図に示すように、区画線はフラップ１１の折り目つまり継ぎ目に位置し、フラップ１１は磁気構造１２によって作られるエヤーギャップ１３の中へ外側から入り込んでいる。また、図に見られるように、各セグメント１０の表面は、ラウドスピーカーを収容する仮想の円筒の半径よりも大きい曲率を有する。セグメントの大きい曲率により、振動板は自由に伸縮することができ、これによってリアルな音響再生を保証する。
【００２９】
上記により、フラップ１１は区画線に沿って形成され、各フラップ１１はエヤーギャップ１３の中に入り込む。支持構造に振動板を接続する可撓性支持部材は、後述される。
【００３０】
図２は、この発明によるラウドスピーカーの実施形態の一部の上面図である。図２において詳細に見ることができるが、振動板のフラップ１１は磁気構造１２の中に作られるエヤーギャップ１３の中に入り込んでいる。好ましくは、１つ以上のケーブルストランド（簡単のため図１と図２には示さない）がフラップ１１に沿って振動板に取り付けられ、ラウドスピーカーを作動する電流がそのケーブルストランド（cable strands）を流れる。
【００３１】
図２はまた、磁気構造１２が、支持構造体要素１４の上に、この目的のために作られた凹部１７に嵌入する方法を示している。例えば、磁気構造１２は、図に見られるように、２つの軟鉄部と、それらの間に固定される永久磁石を備える。
【００３２】
図３は、図１と図２に示される実施形態の支持構造の一部を形成する支持構造体要素１４の上面図である。支持構造体要素１４はまた、固定要素１６を収容する開口１５を備える。
【００３３】
図４はまた、図１と図２に助けられて図示される実施形態を示し、それは支持構造体の一部を形成する平板２０によって閉じられている。図４に見られるが、平板２０は、ねじのような固定要素１６の助けにより、支持構造体要素１４に固定される。
【００３４】
図１〜４に示す実施形態の支持構造体要素１４は、標準の引き抜き形材であれば好都合である。磁気構造の構成要素は、支持構造体要素１４の凹部１７の中に設置される。つまり、平坦な磁石を挟んだ軟鉄部が各凹部１７の中に存在する。図１〜４に示される実施形態は、低音放射広帯域ラウドスピーカーを実現するために、特に適している。
【００３５】
図５はこの発明によるラウドスピーカーの他の実施形態の一部の立体画像である。ラウドスピーカーのこの実施形態は、６つのフラップ１１を有する６つのセグメント１０' からなる振動板を備える。ここでは、支持構造体は、振動板の１つのエッジの近くに設けられた端板２８と、振動板の他のエッジの近くに設けられた端板４０と、端板２８と端板４０との間に挿入されたスペーサ要素３６を備える。例えば、支持構造体は、モータ技術で知られた分離磁石３２を、端板２８と端板４０に形成され分離磁石３２の間に延びる指３０によって保持する。結果的に、この実施形態の磁気構造は、エヤーギャップ２３によって互いに分離した６つの分離磁石３２によって形成される。ラウドスピーカーの作動を保証するケーブル設備は、フラップ１１' に沿って振動板に固定され、エヤーギャップ２３を通り、各エヤーギャップ２３において同じ電流方向を有するケーブルストランドを備える。図において、ケーブルストランドの中に続く接続ケーブル部２６を見ることができる。振動板はフラップ１１' に接続された可撓性支持部材２４によって支持構造体に接続され、エヤーギャップ２３の中のフラップ１１' の半径方向の動きを可能にする。この実施形態の場合には、可撓性支持部材２４は、母線の方向に走り、フラップ１１' の端を支持構造体に接続する可撓性のストランド（strands）である。
【００３６】
図５に示す指（finger）３０は、支持部材２４のための固定点である。図に示す実施形態において、指３０はエヤーギャップ２３を越えて伸びる、つまり、フラップ１１' に接続される支持部材２４はフラップ１１' をエヤーギャップ２３の外側に固定する。同時に、ケーブルストランドは、各ケーブルストランドが個々のエヤーギャップ２３の中に設置されるように配置される。この方法において、もし、電流がケーブルストランドを介して流れると、磁気構造はケーブルストランドに力を加えるが、その力の強度は電流強度に依存する。ケーブルストランドがフラップ１１' の近くの振動板に固定されるとき、ケーブルストランドに与えられる電流強度に依存する強度の力が、振動板に加えられる。変化可能な強度を有するこの力によって、振動板のセグメント１０' は所望の音響周波数で移動又は振動する。
【００３７】
図６は図５に示す実施形態の上面図である。図において、支持構造を形成する平板２８、分離磁石３２、スペーサ要素３６、および底部でラウドスピーカーに接する平板４０が詳細に見られる。さらに、平板２８と振動板のエッジを接続する弾性フランジ３４もまた見られる。通常、弾性フランジ３４はゴム製フランジであり、それは柔軟な材料で作られ、最小可能範囲までの振動板の運動に影響を与えるか又はその運動を防止する。
【００３８】
図７は図５および図６に示す実施形態の側面図を示す。その側面図では、２つの側面における振動板のセグメント１０' に接する弾性フランジ３４と３８が見られる。この側面図において見られるが、分離磁石３２は、ラウドスピーカーの下部と上部において、端板２８と端板４０を越えて延び、これによって、エヤーギャップ２３において可能な最も均一な磁界を保証する。
【００３９】
都合のよいことに、この実施形態において、ラウドスピーカーは閉じた内部空間を備えるが、それは振動板のセグメント１０，１０' 、支持構造および弾性フランジ３４，３８によって仕切られる。
【００４０】
図５〜７に示す実施形態の場合には、支持構造の個々の要素は、例えばレーザ切断により作製されるか又は切断された要素から作製されることが可能である。
【００４１】
図８と図９は、この発明によるラウドスピーカーの第３実施形態の立体的上面画像を提供する。この発明によるラウドスピーカーのこの実施形態は、２つのセグメント１０'' からなり２つのフラップ１１'' を有する振動板を備える。この実施形態はまた、支持構造体要素４２，４３を備え、それらは共にこの実施形態の支持構造体を形成する。エヤーギャップ４１は、鏡面対称の支持構造体要素４２と、その間でスペーサとしても機能する支持構造体要素４３とによって形成される。同時に、支持構造体要素４２，４３はまた、支持構造体要素４２が軟鉄部になり、支持構造体要素４３が磁石になるような磁気構造を形成する。ラウドスピーカーの作動中に電流が流れて振動板を動かすために必要な、図８と９に示されないケーブルは、エヤーギャップ４１の中へ延びるフラップに沿って配置される。結果的に、この実施形態において、この発明によるラウドスピーカーの作動に必要な振動板の動きは、上述のように、エヤーギャップ４１の中へ延びるフラップ１１の動きによって達成される。セグメント１０'' はまた、中央の母線の方向に適合するカーブに沿った折り目ラインを備えるが、その利点は、それらがセグメント１０'' の長手方向の強度を保証し、セグメント１０'' のねじれから生じるゆがみを減少することである。
【００４２】
図１０と図１１は、この発明によるラウドスピーカーのさらに異なる実施形態の立体的および上面画像を提供する。この実施形態はフラップ１１''' を有するセグメント１０''' からなる振動板と、エヤーギャップ４７を有する支持構造体要素４４とを備える。支持構造体要素４４間のスペーサは、図１０又は１１に示されていない。この実施形態において、支持構造体要素４４自体が永久磁石であり、それらが磁気構造を形成する。振動板の適正な動きに必要なケーブルは、エヤーギャップ４７の中へ延びるフラップ１１'''に沿って設置され、図８と９に示される実施形態と同様の配置に従う。さらに、図１１において、スペーサ盤５２と、スペーサ盤５２に接続された保持部材が存在する。スペーサ盤５２は支持構造体要素４４の両方に接続されている。
【００４３】
図１０と１１に示される実施形態は、振動板のセグメント１０''' をスペーサ盤にフラップ１１'''において固定する保持部材で形成されることが可能である。この実施形態の場合には、可撓性の保持部材は母線の方向に走り、フラップ１１''' の端を支持構造体に、つまりスペーサ盤を介して支持構造体要素４４に接続する可撓性ストランドであり、可撓性ストランドは、可撓性の被覆を有するケーブルストランドであれば、好都合である。
【００４４】
図１２と図１３は、この発明によるラウドスピーカーのさらに異なる実施形態を示す。前述の２つの実施形態と同様に、この実施形態においても閉じられた音響空間が存在する。この実施形態は、フラップ１１''' を有するセグメント１０''' からなる振動板と、その上にエヤーギャップ４９を有する支持構造体要素４８とを備える。個々のフラップ１１'''は、個々のエヤーギャップ４９の中へ延びている。この図において、ケーブル４６が振動板に、フラップ１１''' を形成する折り目の内側に外側から接着されるように、配置されたフラップ１１''' に沿ってケーブル４９が存在することが見られる。この実施形態において、磁気構造は、支持構造体要素４８自体によって形成できるが、磁気構造はエヤーギャップ４９に接する表面に沿って設置することもできる。
【００４５】
図８〜１３に示される実施形態の場合には、振動板を支持構造体に固定する保持部材がフラップ１１'' 、１１''' 、１１'''' の端を支持構造体に接続する可撓性ストランドであると好都合である。可撓性ストランドがケーブルストランド自体で形成されるとさらに好都合である。この場合には、可撓性ストランドを形成するケーブルストランドの部分は、可撓性被覆を備えると好都合である。
【００４６】
振動板に固定され振動板に動きを与えるケーブル構造は図面に示されていないことが指摘される。振動板の上を走るケーブル構造は、適当な方法、例えば、文献WO 2000/041492A2に記載された方法を用いて実現される。
【００４７】
放出される音波が比較的大きい波長を有するときのみ、ラウドスピーカーの適当な作動用の閉鎖音響スペースを作成することが必要であることが指摘される。この場合、振動板の２つの異なる側面から来る音波が互いに打消すことがある。小さい波長が生成される場合には、そのような打消しは考えられないので、音響スペースを作る必要はない。
【００４８】
いくつかの生成点（generation point）を有する、いくつかのセグメントからなる振動板と閉鎖内部空間を備えた実施形態は、低い音を放射するのにとくに適している。少ない生成点を有する、少ないセグメントから構成された振動板を備えた実施形態は、高い音を放射するのにとくに適している。高い音に用いられる実施形態の場合には、閉鎖音響空間を作る必要はない。
【００４９】
この発明は適当なパラメータにより、全音響周波数領域をほぼカバーするラウドスピーカーを保証するのに適することが可能である。この発明によるラウドスピーカーの著しい利点は、公知の音響放射と比較して、その都合のよい特性を失うことなしに著しく大きい振動板表面を備えることである。セグメントの数を増やすことによって、振動板の表面は放射パラメータを弱めることなく増大する。同じたわみの場合には、大きい振動板表面は大きい音圧につながる。
【００５０】
この発明によるラウドスピーカーのさらなる変形も可能であり、それによって放射効率を増大することができる。このための可能な解決策は、特に低音の範囲において、ラウドスピーカーの内部空間は、内部空間の一端が音響空洞に接続され、他端が閉鎖されるように音響空洞に接続されることである。他の可能な解決策によれば、音響用の漏斗が内部空間の開口側に設置され、その結果それらは支持構造体要素によって閉じられない。
【００５１】
公知のダイナミック音響放射の解決策と比較すると、この発明による解決策は、３６０度の範囲に音響放射を向けることができるように著しく大きな振動板表面を作ることを可能にする。セグメントの数とサイズを増やすことによって、ほぼ無制限の表面を有するラウドスピーカーを構成することができる。公知のダイナミックコーン音響放射体は、可動コイルが単一の点から振動板を制御するので、無制限に増大させることはできず、もし、振動板の表面が増大すると、移動する大きさも増大し、振動板の直径が増大するほど、その剛性は無限ではないので、さらに独立して移動し、著しく音響再生を悪化する。
【００５２】
上記と異なる他の振動板構造もまた可能である。上記以外の多数のセグメントを形成する場合には、支持構造体と磁気構造もまた、変更する必要がある、つまり、適当な数のエヤーギャップが、上述のラウドスピーカーの作動に必要なケーブルストランドがその上を走るフラップを収容するために作られなければならない。強調すべきことであるが、この発明の観点から、振動板が偶数又は奇数のセグメントからなるかどうかは問題にならない。都合のよいことに、この発明によるラウドスピーカーの振動板は筒形形状から引出されることができ、その上で、セグメントの数にふさわしい数のエッジが折り込まれる。この点において、図に示される花弁が実現される。このようにして作られた振動板は、折り込まれたエッジで半径方向に動かされると、その直径と表面を容易に変化することができると共に、その中に閉じ込められた空気の体積をこれによって変化することができる。
【００５３】
エヤーギャップの中へ延びるフラップに属するケーブル構造が、エヤーギャップ毎に、又はエヤーギャップの対毎に一対の接続ケーブル部を備えると、好都合である。この場合には、個々のフラップ又は対のフラップは、他のフラップから独立して制御されることが可能である。ケーブル構造が単一の共通対の接続ケーブル部を備える実施形態もまた、可能である。
【００５４】
この後者の構造は、振動板のセグメントが可撓性プリント配線板から作られている実施形態において特に好都合である。この場合、ケーブル構造つまりプリント配線板のケーブルパターンは、フラップを形成する接着箇所において適当なケーブルストランドが互いに連結するように、プリント配線板上で実現できる。その結果、プリント配線板上で完全な振動板ケーブル構造が先んじて作成され、都合のよいことに、単一の共通対の接続ケーブル部が完全なケーブル構造に属する。もし、両面プリント配線板が使用されると、個々のフラップにおいて４つのケーブルストランド層が実現され、それによってラウドスピーカーはさらに高感度に作られる。多層プリント配線板を用いることによって、ラウドスピーカーの感度をさらに増大させることができる。
【００５５】
一対の接続ケーブル部が、コイル内に配置されるケーブルストランドにより、各対のエヤーギャップに対して作られると、電流はエヤーギャップの中を反対方向に流れる。しかしながら、同じ強度のエヤーギャップ対の力における磁気構造（逆極性）の適当な組立てにより、放射状に内側に又は外側に向くすべてのものは、個々のフラップに働くので、振動板はどこでも同じ放射状の力によって動かされる。そのような構造の例は、図８〜１１に見られる。
【００５６】
ケーブル構造を組み立てるとき、一対の接続ケーブル部のケーブルストランドの遊びが保証されると好都合である。もし、ケーブルストランドに遊びがない場合、それらの共振周波数が伝達周波数範囲を超えていると、それらはこの発明によるラウドスピーカーの作動に影響を与えない。ケーブル構成を形成するケーブルストランドは、特に一対の接続ケーブル部において、それらの破損を防止する可撓性の被覆を備える。
【００５７】
可撓性保持部材は、いくつかの異なる方法で組み立てることができる。可撓性保持部材の組み立てる観点から、それらが振動板上で作られたフラップに接続されることが重要である。可撓性保持部材は、それらがラウドスピーカーの作動に必要なフラップの自由な動きが可能なように組み立てられる。同時に、保持部材は無負荷状態の休止位置へ振動板を戻すことができる。
【００５８】
ケーブル構造と保持部材は、保持部材がケーブルストランド自体によって、およびそれらによって作られたケーブルの束によって形成されるように組み立てられると、好都合である。そのような振動板のつり下げは、例えば図８〜１３に示す実施形態の場合に、好都合である。
【００５９】
振動板は回転対称に組立てられると好都合である。これによって、好ましくない低調波の出現につながる振動板の自由振動が回避できる。
【００６０】
弾性のフランジが振動板の動きを妨げない柔軟なゴムから作られると、好都合である。例えば、弾性のフランジは、平坦なシートの形状を有するときに、振動板に一様に固定又は接着される。
【００６１】
自明なことであるが、この発明は、詳細に記述された好ましい実施形態に限定されず、さらなる改造、組合せ、変形および拡張が特許請求の範囲によって定められる保護範囲内で可能である。
【００６２】
符号のリスト
１０      セグメント
１０'     セグメント
１０''    セグメント
１０'''   セグメント
１０''''  セグメント
１１      耳（フラップ）
１１'     耳（フラップ）
１１''    耳（フラップ）
１１'''   耳（フラップ）
１１''''  耳（フラップ）
１２      磁気構造
１３      エヤーギャップ
１４      支持構造体要素
１５      開口
１６      固定要素
１７      凹部
１８      平板
２０      平板
２３      エヤーギャップ
２４      保持部材
２６      接続ケーブル部
２８      平板
３０      指
３２      分離磁石
３４      弾性フランジ
３６      スペーサ要素
３８      弾性フランジ
４０      平板
４１      エヤーギャップ
４２      支持構造体要素
４３      支持構造体要素
４４      支持構造体要素
４６      固定要素
４７      エヤーギャップ
４８      支持構造体要素
４９      エヤーギャップ
５０      平板
【図１】
0005914672.tif 000002
【図２】
0005914672.tif 000003
【図３】
0005914672.tif 000004
【図４】
0005914672.tif 000005
【図５】
0005914672.tif 000006
【図６】
0005914672.tif 000007
【図７】
0005914672.tif 000008
【図８】
0005914672.tif 000009
【図９】
0005914672.tif 000010
【図１０】
0005914672.tif 000011
【図１１】
0005914672.tif 000012
【図１２】
0005914672.tif 000013
【図１３】
0005914672.tif 000014